(57)【特許請求の範囲】
【請求項１】
第１筐体部と、
第２筐体部と、
前記第１筐体部と前記第２筐体部との間の位置関係を変えられるように前記第１筐体部と前記第２筐体部とを連結する連結部と、
前記第１筐体部に搭載され、前記第１筐体部と前記第２筐体部との間の内部無線通信の制御を司る第１内部無線通信制御部と、
前記第２筐体部に搭載され、前記第１筐体部と前記第２筐体部との間の内部無線通信の制御を司る第２内部無線通信制御部と、
前記第１筐体部に搭載された第１内部無線通信用アンテナと、
前記第２筐体部に搭載された第２内部無線通信用アンテナと、
前記第１筐体部に搭載され、外部から供給される電力を無接点で受ける第１電力伝送モジュールと、
前記第１筐体部に搭載され、前記第１電力伝送モジュールにて受け取った電力を無接点で前記第２筐体部に供給する第２電力伝送モジュールと、
前記第２筐体部に搭載され、前記第２電力伝送モジュールから供給される電力を無接点で受ける第３電力伝送モジュールと、
前記第１電力伝送モジュールに設けられた第１電磁誘導コイルと、
前記第２電力伝送モジュールに設けられた第２電磁誘導コイルと、
前記第３電力伝送モジュールに設けられた第３電磁誘導コイルとを備え、
第２電磁誘導コイルと第３電磁誘導コイルとは、前記第１筐体部と前記第２筐体部とが互いに重なるように折り畳んだ時に対向するように配置され、
前記第１筐体部または前記第２筐体部に設けられた表示部をさらに備え、
前記第２電磁誘導コイルおよび前記第３電磁誘導コイルは前記表示部の周囲に配置されていることを特徴とする無線通信装置。
【請求項２】
第１筐体部と、
第２筐体部と、
前記第１筐体部と前記第２筐体部との間の位置関係を変えられるように前記第１筐体部と前記第２筐体部とを連結する連結部と、
前記第１筐体部に搭載され、前記第１筐体部と前記第２筐体部との間の内部無線通信の制御を司る第１内部無線通信制御部と、
前記第２筐体部に搭載され、前記第１筐体部と前記第２筐体部との間の内部無線通信の制御を司る第２内部無線通信制御部と、
前記第１筐体部に搭載された第１内部無線通信用アンテナと、
前記第２筐体部に搭載された第２内部無線通信用アンテナと、
前記第１筐体部の表面、裏面または側面に搭載され、外部から供給される電力を無接点で受ける第１電力伝送モジュールと、
前記第２筐体部の表面、裏面または側面に搭載され、外部から供給される電力を無接点で受ける第２電力伝送モジュールとを備えることを特徴とする無線通信装置。
【請求項３】
前記第１電力伝送モジュールおよび前記第２電力伝送モジュールは、前記第１筐体部と前記第２筐体部とが互いに重なるように折り畳んだ時に、外部から電力を無接点で供給する第３電力伝送モジュールを挟み込むように配置されていることを特徴とする請求項２記載の無線通信装置。
【請求項４】
前記第１電力伝送モジュールおよび前記第２電力伝送モジュールは、前記第１筐体部と前記第２筐体部とが互いに重なるように折り畳んだ時に、外部から電力を無接点で供給する第３電力伝送モジュールにて挟み込まれるように配置されていることを特徴とする請求項２記載の無線通信装置。
【発明の詳細な説明】
【技術分野】
【０００１】
本発明は無線通信装置に関し、特に、無線データ通信に用いられる電力を無接点で伝送する方法に適用して好適なものである。
【背景技術】
【０００２】
携帯電話などの情報端末機器に充電等を目的として電力を伝送する方法として、コネクタなどの金属接点を介して伝送する方法の他に、電磁誘導を利用して無接点で伝送する方法がある。無接点で電力を伝送する方法は、金属接点を介して電力を伝送する方法の場合に比べ、摩耗や汚れによる接触不良がないという利点の他、ケースに防水性を持たせることができる。
【０００３】
また、特許文献１には、電力供給用の配線を必要とすることなく、駆動する電子機器の定格電力内で確実に電力供給を行うことができるようにするために、マスタシステムからパワーレシーバシステムへの電力供給を電磁誘導にて行うとともに、マスタシステムとパワーレシーバシステムとの間でアンテナを介して電力制御情報の授受を無線で行う方法が開示されている。
【特許文献１】特開平６−１３３４７６号公報
【発明の開示】
【発明が解決しようとする課題】
【０００４】
しかしながら、充電等を目的として電力を無接点で伝送する方法では、デジタルカメラやカメラ付き携帯電話などの情報端末機器に保存された大容量の画像データ等をパソコン等に転送するためには、ＵＳＢなどの有線通信用のコネクタが必要となり、大容量のデータ伝送に対応できないという問題があった。
【０００５】
また、特許文献１に開示された方法では、電磁誘導コイルなどを用いた電磁誘導にて電力供給が行われ、電力を伝送可能な距離が数ｍｍ程度と限られることから、表示部と操作部とが折り畳めるように構成されたクラムシェル構造を有する携帯電話などでは、表示部と操作部との双方に同時に無接点で充電することが困難であるという問題があった。
そこで、本発明の目的は、複数のブロックに一括して無接点で充電することが可能な無線通信装置を提供することである。
【課題を解決するための手段】
【０００６】
上述した課題を解決するために、本発明の一態様に係る無線通信装置によれば、第１筐体部と、第２筐体部と、前記第１筐体部と前記第２筐体部との間の位置関係を変えられるように前記第１筐体部と前記第２筐体部とを連結する連結部と、前記第１筐体部に搭載され、前記第１筐体部と前記第２筐体部との間の内部無線通信の制御を司る第１内部無線通信制御部と、前記第２筐体部に搭載され、前記第１筐体部と前記第２筐体部との間の内部無線通信の制御を司る第２内部無線通信制御部と、前記第１筐体部に搭載された第１内部無線通信用アンテナと、前記第２筐体部に搭載された第２内部無線通信用アンテナと、前記第１筐体部に搭載され、外部から供給される電力を無接点で受ける第１電力伝送モジュールと、前記第１筐体部に搭載され、前記第１電力伝送モジュールにて受け取った電力を無接点で前記第２筐体部に供給する第２電力伝送モジュールと、前記第２筐体部に搭載され、前記第２電力伝送モジュールから供給される電力を無接点で受ける第３電力伝送モジュールとを備えることを特徴とする。
【０００７】
これにより、第１筐体部に無接点で供給された電力を第２電力伝送モジュールにて中継させながら第２筐体部に無接点で送ることができる。このため、第１筐体部と第２筐体部とが無線通信装置に設けられている場合においても、第１筐体部と第２筐体部との間で無線でデータをやり取りすることを可能としつつ、第１筐体部と第２筐体部の双方に同時に無接点で充電することが可能となり、第１筐体部と第２筐体部との間でデータや電力を授受するための電線を連結部に通す必要がなくなる。この結果、第２筐体部に搭載された表示部の大画面化および高精細度化に対応して、第１筐体部から第２筐体部に送信される表示データのデータ量が増大した場合においても、連結部の構成を複雑化させることなく、表示データを高速に表示部に送信することが可能となるとともに、接触不良を伴うことなく電力を伝送することができる。従って、無線通信装置の小型薄型化および高信頼性化を図ることが可能となるとともに、無線通信装置の携帯性を損なうことなく、無線通信装置の大画面化および多機能化を図ることができる。
【０００８】
また、本発明の一態様に係る無線通信装置によれば、前記第１電力伝送モジュールに設けられた第１電磁誘導コイルと、前記第２電力伝送モジュールに設けられた第２電磁誘導コイルと、前記第３電力伝送モジュールに設けられた第３電磁誘導コイルとを備え、第２電磁誘導コイルと第３電磁誘導コイルとは、前記第１筐体部と前記第２筐体部とが互い重なるように折り畳んだ時に対向するように配置されていることを特徴とする。
これにより、第１筐体部と前記第２筐体部とが互い重なるように折り畳んだ時に、第２電磁誘導コイルと第３電磁誘導コイルとを互いに接近させることができ、第１筐体部から第２筐体部に無接点で効率よく電力供給を行うことができる。
【０００９】
また、本発明の一態様に係る無線通信装置によれば、前記第１筐体部または前記第２筐体部に設けられた表示部をさらに備え、前記第２電磁誘導コイルおよび前記第３電磁誘導コイルは前記表示部の周囲に配置されていることを特徴とする。
これにより、表示部と電磁誘導コイルとの干渉を抑えつつ、電磁誘導コイルの面積を稼ぐことができ、表示部の視認性を確保しつつ、第１筐体部から第２筐体部に無接点で効率よく電力供給を行うことができる。
【００１０】
また、本発明の一態様に係る無線通信装置によれば、第１筐体部と、第２筐体部と、前記第１筐体部と前記第２筐体部との間の位置関係を変えられるように前記第１筐体部と前記第２筐体部とを連結する連結部と、前記第１筐体部に搭載され、前記第１筐体部と前記第２筐体部との間の内部無線通信の制御を司る第１内部無線通信制御部と、前記第２筐体部に搭載され、前記第１筐体部と前記第２筐体部との間の内部無線通信の制御を司る第２内部無線通信制御部と、前記第１筐体部に搭載された第１内部無線通信用アンテナと、前記第２筐体部に搭載された第２内部無線通信用アンテナと、前記第１筐体部に搭載され、外部から供給される電力を無接点で受ける第１電力伝送モジュールと、前記第１筐体部に搭載され、前記第１電力伝送モジュールにて受け取った電力を前記第２筐体部側に導く導磁路と、前記第２筐体部に搭載され、前記導磁路を介して前記第１電力伝送モジュールから供給される電力を無接点で受ける第２電力伝送モジュールとを備えることを特徴とする。
【００１１】
これにより、第１筐体部に無接点で供給された電力を導磁路にて中継させながら第２筐体部に無接点で送ることができる。このため、第１筐体部に無接点で供給された電力の損失を抑制しつつ、第２筐体部に無接点で電力を供給することが可能となるとともに、第１筐体部から第２筐体部に無接点で電力を伝送するための電磁誘導コイルが不要となり、無線通信装置のコスト増を抑制しつつ、無線通信装置の小型薄型化および高信頼性化を図ることが可能となるとともに、無線通信装置の携帯性を損なうことなく、無線通信装置の大画面化および多機能化を図ることができる。
【００１２】
また、本発明の一態様に係る無線通信装置によれば、第１筐体部と、第２筐体部と、前記第１筐体部と前記第２筐体部との間の位置関係を変えられるように前記第１筐体部と前記第２筐体部とを連結する連結部と、前記第１筐体部に搭載され、前記第１筐体部と前記第２筐体部との間の内部無線通信の制御を司る第１内部無線通信制御部と、前記第２筐体部に搭載され、前記第１筐体部と前記第２筐体部との間の内部無線通信の制御を司る第２内部無線通信制御部と、前記第１筐体部に搭載された第１内部無線通信用アンテナと、前記第２筐体部に搭載された第２内部無線通信用アンテナと、前記第１筐体部の表面、裏面または側面に搭載され、外部から供給される電力を無接点で受ける第１電力伝送モジュールと、前記第２筐体部の表面、裏面または側面に搭載され、外部から供給される電力を無接点で受ける第２電力伝送モジュールとを備えることを特徴とする。
【００１３】
これにより、外部から無接点で電力を供給する第３電力伝送モジュールを第１電力伝送モジュールおよび第２電力伝送モジュールの双方に同時に近接させることができる。このため、第１筐体部と第２筐体部とが無線通信装置に設けられている場合においても、第１筐体部と第２筐体部との間で無線でデータをやり取りすることを可能としつつ、第１筐体部と第２筐体部の双方に同時に無接点で充電することが可能となり、第１筐体部と第２筐体部との間でデータや電力を授受するための電線を連結部に通す必要がなくなる。この結果、第２筐体部に搭載された表示部の大画面化および高精細度化に対応して、第１筐体部から第２筐体部に送信される表示データのデータ量が増大した場合においても、連結部の構成を複雑化させることなく、表示データを高速に表示部に送信することが可能となるとともに、接触不良を伴うことなく電力を伝送することができる。従って、無線通信装置の小型薄型化および高信頼性化を図ることが可能となるとともに、無線通信装置の携帯性を損なうことなく、無線通信装置の大画面化および多機能化を図ることができる。
【００１４】
また、本発明の一態様に係る無線通信装置によれば、前記第１電力伝送モジュールおよび前記第２電力伝送モジュールは、前記第１筐体部と前記第２筐体部とが互い重なるように折り畳んだ時に、外部から電力を無接点で供給する第３電力伝送モジュールを挟み込むように配置されていることを特徴とする。
これにより、第１筐体部と前記第２筐体部とが互い重なるように折り畳んだ時に、外部から無接点で電力を供給する第３電力伝送モジュールを第１電力伝送モジュールおよび第２電力伝送モジュールの双方に同時に近接させることができ、第１筐体部から第２筐体部に無接点で効率よく電力供給を行うことができる。
【００１５】
また、本発明の一態様に係る無線通信装置によれば、前記第１電力伝送モジュールおよび前記第２電力伝送モジュールは、前記第１筐体部と前記第２筐体部とが互い重なるように折り畳んだ時に、外部から電力を無接点で供給する第３電力伝送モジュールにて挟み込まれるように配置されていることを特徴とする。
これにより、第１筐体部と前記第２筐体部とが互い重なるように折り畳んだ時に、外部から無接点で電力を供給する第３電力伝送モジュールを第１電力伝送モジュールおよび第２電力伝送モジュールの双方に同時に近接させることができ、第１筐体部から第２筐体部に無接点で効率よく電力供給を行うことができる。
【００１６】
また、本発明の一態様に係る無線通信装置によれば、第１筐体部と、第２筐体部と、前記第１筐体部と前記第２筐体部との間の位置関係を変えられるように前記第１筐体部と前記第２筐体部とを連結する連結部と、前記第１筐体部に搭載され、前記第１筐体部と前記第２筐体部との間の内部無線通信の制御を司る第１内部無線通信制御部と、前記第２筐体部に搭載され、前記第１筐体部と前記第２筐体部との間の内部無線通信の制御を司る第２内部無線通信制御部と、前記第１筐体部に搭載された第１内部無線通信用アンテナと、前記第２筐体部に搭載された第２内部無線通信用アンテナと、前記連結部に挿入された導磁路と、前記導磁路に巻き付けられ、前記導磁路を介して誘起された起電力を前記第１筐体部側に供給する第１電磁誘導コイルと、前記導磁路に巻き付けられ、前記導磁路を介して誘起された起電力を前記第２筐体部側に供給する第２電磁誘導コイルとを備えることを特徴とする。
【００１７】
これにより、導磁路に無接点で供給された電力を第１筐体部および第２筐体部に送ることができる。このため、第１筐体部と第２筐体部とが無線通信装置に設けられている場合においても、第１筐体部と第２筐体部との間で無線でデータをやり取りすることを可能としつつ、第１筐体部と第２筐体部の双方に同時に無接点で充電することが可能となり、第１筐体部と第２筐体部との間でデータや電力を授受するための電線を連結部に通す必要がなくなる。この結果、第２筐体部に搭載された表示部の大画面化および高精細度化に対応して、第１筐体部から第２筐体部に送信される表示データのデータ量が増大した場合においても、連結部の構成を複雑化させることなく、表示データを高速に表示部に送信することが可能となるとともに、接触不良を伴うことなく電力を伝送することができる。従って、無線通信装置の小型薄型化および高信頼性化を図ることが可能となるとともに、無線通信装置の携帯性を損なうことなく、無線通信装置の大画面化および多機能化を図ることができる。
【発明を実施するための最良の形態】
【００１８】
以下、本発明の実施形態に係る無線通信装置について図面を参照しながら説明する。
図１は、本発明の無線通信制御方法が適用されるクラムシェル型携帯電話を開いたときの状態を示す斜視図、図２は、本発明の無線通信制御方法が適用されるクラムシェル型携帯電話を閉じたときの状態を示す斜視図である。
図１および図２において、第１筐体部１の表面には、操作ボタン４が配置されるとともに、第１筐体部１の下端にはマイク５が設けられ、第１筐体部１の上端には外部無線通信用アンテナ６が取り付けられている。また、第２筐体部２の表面には、表示体８が設けられるとともに、第２筐体部２の上端にはスピーカ９が設けられている。また、第２筐体部２の裏面には、表示体１１および撮像素子１２が設けられている。なお、表示体８、１１としては、例えば、液晶表示パネル、有機ＥＬパネルまたはプラズマディスプレイパネルなどを用いることができる。また、撮像素子１２としては、ＣＣＤまたはＣＭＯＳセンサなどを用いることができる。また、第１筐体部１および第２筐体部２には、第１筐体部１と第２筐体部２との間で内部無線通信を行う内部無線通信用アンテナ７、１０がそれぞれ設けられている。
【００１９】
そして、第１筐体部１および第２筐体部２はヒンジ３を介して連結され、ヒンジ３を支点として第２筐体部２を回転させることにより、第２筐体部２を第１筐体部１上に折り畳むことができる。そして、第２筐体部２を第１筐体部１上に閉じることにより、操作ボタン４を第２筐体部２にて保護することができ、携帯電話を持ち歩く時に操作ボタン４が誤って操作されることを防止することができる。また、第２筐体部２を第１筐体部１から開くことにより、表示体８を見ながら操作ボタン４を操作したり、スピーカ９およびマイク５を使いながら通話したり、操作ボタン４を操作しながら撮像を行ったりすることができる。
【００２０】
ここで、クラムシェル構造を用いることにより、第２筐体部２のほぼ一面全体に表示体８を配置することができ、携帯電話の携帯性を損なうことなく、表示体８のサイズを拡大させることを可能として、視認性を向上させることができる。
また、内部無線通信用アンテナ７、１０を第１筐体部１および第２筐体部２にそれぞれ設けることにより、内部無線通信用アンテナ７、１０を用いた内部無線通信にて第１筐体部１と第２筐体部２との間のデータ伝送を行うことができる。例えば、外部無線通信用アンテナ６を介して第１筐体部１に取り込まれた画像データや音声データを、内部無線通信用アンテナ７、１０を用いた内部無線通信にて第２筐体部２に送り、表示体８に画像を表示させたり、スピーカ９から音声を出力させたりすることができる。また、撮像素子１２にて撮像された撮像データを、内部無線通信用アンテナ７、１０を用いた内部無線通信にて第２筐体部２から第１筐体部１に送り、外部無線通信用アンテナ６を介して外部に送出させることができる。
【００２１】
また、第１筐体部１には、外部から供給される電力を無接点で受ける第１電力伝送モジュールを搭載するとともに、第１電力伝送モジュールにて受け取った電力を無接点で第２筐体部２に供給する第２電力伝送モジュールを搭載し、第２筐体部２には、第２電力伝送モジュールから供給される電力を無接点で受ける第３電力伝送モジュールを搭載することができる。
【００２２】
あるいは、外部から供給される電力を無接点で受ける第１電力伝送モジュールを第１筐体部１の表面、裏面または側面に搭載するとともに、外部から供給される電力を無接点で受ける第２電力伝送モジュールを第２筐体部２の表面、裏面または側面に搭載するようにしてもよい。
これにより、第１筐体部１と第２筐体部２との間で無線でデータをやり取りすることを可能としつつ、第１筐体部１と第２筐体部２の双方に同時に無接点で充電することが可能となり、第１筐体部１と第２筐体部２との間でデータや電力を授受するための電線をヒンジ３に通す必要がなくなる。この結果、第２筐体部２に搭載された表示体８の大画面化および高精細度化に対応して、第１筐体部１から第２筐体部２に送信される表示データのデータ量が増大した場合においても、ヒンジ３の構成を複雑化させることなく、表示データを高速に表示体８に送信することが可能となるとともに、接触不良を伴うことなく電力を伝送することができる。従って、無線通信装置の小型薄型化および高信頼性化を図ることが可能となるとともに、無線通信装置の携帯性を損なうことなく、無線通信装置の大画面化および多機能化を図ることができる。
【００２３】
図３は、本発明の無線通信制御方法が適用される回転式携帯電話の外観を示す斜視図である。
図３において、第１筐体部２１の表面には、操作ボタン２４が配置されるとともに、第１筐体部２１の下端にはマイク２５が設けられ、第１筐体部２１の上端には外部無線通信用アンテナ２６が取り付けられている。また、第２筐体部２２の表面には、表示体２８が設けられるとともに、第２筐体部２２の上端にはスピーカ２９が設けられている。また、第１筐体部２１および第２筐体部２２には、第１筐体部２１と第２筐体部２２との間で内部無線通信を行う内部無線通信用アンテナ２７、３０がそれぞれ設けられている。
【００２４】
そして、第１筐体部２１および第２筐体部２２はヒンジ２３を介して連結され、第２筐体部２２をヒンジ２３を支点として水平に回転させることにより、第２筐体部２２を第１筐体部２１上に重ねて配置したり、第２筐体部２２を第１筐体部２１からずらしたりすることができる。そして、第２筐体部２２を第１筐体部２１上に重ねて配置することにより、操作ボタン２４を第２筐体部２２にて保護することができ、携帯電話を持ち歩く時に操作ボタン２４が誤って操作させることを防止することができる。また、第２筐体部２２を水平に回転させて、第２筐体部２２を第１筐体部２１からずらすことにより、表示体２８を見ながら操作ボタン２４を操作したり、スピーカ２９およびマイク２５を使いながら通話したりすることができる。
【００２５】
ここで、内部無線通信用アンテナ２７、３０を第１筐体部２１および第２筐体部２２にそれぞれ設けることにより、内部無線通信用アンテナ２７、３０を用いた内部無線通信にて第１筐体部２１と第２筐体部２２との間のデータ伝送を行うことができる。例えば、外部無線通信用アンテナ２６を介して第１筐体部２１に取り込まれた画像データや音声データを、内部無線通信用アンテナ２７、３０を用いた内部無線通信にて第２筐体部２２に送り、表示体２８に画像を表示させたり、スピーカ２９から音声を出力させたりすることができる。
【００２６】
また、第１筐体部２１には、外部から供給される電力を無接点で受ける第１電力伝送モジュールを搭載するとともに、第１電力伝送モジュールにて受け取った電力を無接点で第２筐体部２２に供給する第２電力伝送モジュールを搭載し、第２筐体部２２には、第２電力伝送モジュールから供給される電力を無接点で受ける第３電力伝送モジュールを搭載することができる。
【００２７】
あるいは、外部から供給される電力を無接点で受ける第１電力伝送モジュールを第１筐体部２１の表面、裏面または側面に搭載するとともに、外部から供給される電力を無接点で受ける第２電力伝送モジュールを第２筐体部２２の表面、裏面または側面に搭載するようにしてもよい。
【００２８】
これにより、第１筐体部２１と第２筐体部２２との間で無線でデータをやり取りすることを可能としつつ、第１筐体部２１と第２筐体部２２の双方に同時に無接点で充電することが可能となり、第１筐体部２１と第２筐体部２２との間でデータや電力を授受するための電線をヒンジ２３に通す必要がなくなる。この結果、第２筐体部２２に搭載された表示体２８の大画面化および高精細度化に対応して、第１筐体部２１から第２筐体部２２に送信される表示データのデータ量が増大した場合においても、ヒンジ２３の構成を複雑化させることなく、表示データを高速に表示体２８に送信することが可能となるとともに、接触不良を伴うことなく電力を伝送することができる。従って、無線通信装置の小型薄型化および高信頼性化を図ることが可能となるとともに、無線通信装置の携帯性を損なうことなく、無線通信装置の大画面化および多機能化を図ることができる。
なお、上述した実施形態では携帯電話を例にとって説明したが、ビデオカメラ、ＰＤＡ（Ｐｅｒｓｏｎａｌ  Ｄｉｇｉｔａｌ  Ａｓｓｉｓｔａｎｃｅ）、ノート型パーソナルコンピュータなどに適用することもできる。
【００２９】
図４は、本発明の第１実施形態に係る無線通信装置の概略構成を示す断面図である。
図４において、充電台１１３には、ＡＣ電源に接続するＡＣプラグ１１５が設けられるとともに、外部に無接点で電力を供給する電力伝送モジュール１１４が設けられている。また、無線通信装置には第１筐体部１０１および第２筐体部１０２が設けられ、第１筐体部１０１と第２筐体部１０２とは、第１筐体部１０１と第２筐体部１０２との間の開き角を変えられるようにヒンジ１０３を介して連結されている。
【００３０】
そして、第１筐体部１０１には、第１筐体部１０１と第２筐体部１０２との間の内部無線通信の制御を司る無線通信モジュール１０６が設けられるとともに、電力伝送モジュール１１４から無接点で電力の供給を受ける電力伝送モジュール１０７が設けられている。また、第１筐体部１０１には、第１筐体部１０１内に電力を供給する充電池１０５が設けられるとともに、第２筐体部１０２に無接点で電力の供給する電力伝送モジュール１０８が設けられている。
【００３１】
一方、第２筐体部１０２には、第１筐体部１０１と第２筐体部１０２との間の内部無線通信の制御を司る無線通信モジュール１０９が設けられるとともに、電力伝送モジュール１１４から無接点で電力の供給を受ける電力伝送モジュール１０７が設けられている。また、第２筐体部１０２の表面には、液晶表示パネル１１２が設けられている。
ここで、電力伝送モジュール１０７、１０８、１１１、１１４には電磁誘導コイルをそれぞれ設け、電磁誘導コイルによる電磁誘導を利用して電力を無接点で伝送することができる。また、電力伝送モジュール１０８、１１１の電磁誘導コイルは、第１筐体部１０１と第２筐体部１０２とが互い重なるように折り畳んだ時に対向するように配置することができる。また、電力伝送モジュール１０７、１１４の電磁誘導コイルは、無線通信装置を充電台１１３上に置いた時に対向するように配置することができる。
【００３２】
そして、第１筐体部１０１および第２筐体部１０２の双方に電力を供給する場合、第１筐体部１０１と第２筐体部１０２とを互いに折り畳んだ状態で、第１筐体部１０１を下にして充電台１１３上に置く。そして、ＡＣプラグ１１５を介して電力伝送モジュール１１４に電力を供給する。そして、電力伝送モジュール１１４に電力が供給されると、電力伝送モジュール１１４を介して電力伝送モジュール１０７に無接点で電力が供給され、充電池１０５に充電されるとともに、充電池１０５を介して電力伝送モジュール１０８に電力が供給される。そして、電力伝送モジュール１０８に電力が供給されると、電力伝送モジュール１０８を介して電力伝送モジュール１１１に無接点で電力が供給され、充電池１１０に充電される。
【００３３】
これにより、第１筐体部１０１に無接点で供給された電力を電力伝送モジュール１０８にて中継させながら第２筐体部１０２に無接点で送ることができる。このため、第１筐体部１０１と第２筐体部１０２との間で無線でデータをやり取りすることを可能としつつ、第１筐体部１０１と第２筐体部１０２の双方に同時に無接点で充電することが可能となり、第１筐体部１０１と第２筐体部１０２との間でデータや電力を授受するための電線をヒンジ１０３に通す必要がなくなる。この結果、第２筐体部１０２に搭載された液晶表示パネル１１２の大画面化および高精細度化に対応して、第１筐体部１０１から第２筐体部１０２に送信される表示データのデータ量が増大した場合においても、ヒンジ１０３の構成を複雑化させることなく、表示データを高速に液晶表示パネル１１２に送信することが可能となるとともに、接触不良を伴うことなく電力を伝送することができる。
【００３４】
なお、電力伝送モジュール１０８、１１１間で電力を伝送する場合、無線通信モジュール１０６、１０９を介して、充電池１０５、１１０の充電量に関する情報を交換することができる。そして、電力伝送モジュール１０８は、充電池１０５、１１０の充電量に基づいて、電力伝送モジュール１１１への電力の供給を開始したり停止したりすることができる。また、マイクロスイッチや磁気センサなどを第１筐体部１０１および第２筐体部１０２に設けることにより、第１筐体部１０１と第２筐体部１０２とが開いた時に電力伝送モジュール１０８、１１１間の電力の伝送を停止させるようにしてもよい。
【００３５】
図５は、図４の無線通信装置の概略構成を示すブロック図である。
図５において、充電台１１３には、交流電源１２１から供給された電圧を昇圧する昇圧回路１２２および電磁誘導を起こすコイルＬ１が設けられている。
また、第１筐体部１０１には、電磁誘導を起こすコイルＬ２、Ｌ３、コイルＬ２にて発生された電力を整流する整流回路１３１、整流回路１３１にて整流された電力を充電する充電池１０５、充電池１０５から出力される電圧を昇圧する昇圧回路１３２、充電池１０５の充電動作を制御する電源制御部１３３、内部無線通信用の電波を受信する内部無線通信用アンテナ１３４、送信信号を無線周波数に変換したり、受信信号をベースバンド信号に変換したりする無線部１３５および内部無線通信の制御を司る通信制御部１３６が設けられている。
【００３６】
また、第２筐体部１０２には、電磁誘導を起こすコイルＬ４、コイルＬ４にて発生された電力を整流する整流回路１４１、整流回路１４１にて整流された電力を充電する充電池１１０、充電池１１０の充電動作を制御する電源制御部１４３、表示データを表示する液晶表示パネル１１２、内部無線通信用の電波を受信する内部無線通信用アンテナ１４４、送信データを無線周波数に変換したり、受信データをベースバンド信号に変換したりする無線部１４５および内部無線通信の制御を司る通信制御部１４６が設けられている。
【００３７】
そして、交流電源１２１から供給された電圧は昇圧回路１２２にて昇圧され、コイルＬ１に供給される。そして、コイルＬ１に電圧が供給されると、コイルＬ１、Ｌ２間での電磁誘導によりコイルＬ２に電圧が誘起される。そして、コイルＬ２にて誘起された電圧は整流回路１３１を介して整流され、充電池１０５に充電される。そして、充電池１０５に充電された電圧は昇圧回路１３２に供給され、昇圧回路１３２にて昇圧された後、コイルＬ３に供給される。そして、コイルＬ３に電圧が供給されると、コイルＬ３、Ｌ４間での電磁誘導によりコイルＬ４に電圧が誘起される。そして、コイルＬ４にて誘起された電圧は整流回路１４１を介して整流され、充電池１１０に充電される。
【００３８】
ここで、電源制御部１４３は、充電池１１０の充電量を監視し、充電池１１０の充電量に関する情報を通信制御部１４６に送る。そして、通信制御部１４６は、充電池１１０の充電量に関する情報を電源制御部１４３から受け取ると、その情報を無線部１４５を介して内部無線通信用アンテナ１４４から電波として送出させる。そして、内部無線通信用アンテナ１４４から送出された情報は内部無線通信用アンテナ１３４にて受信され、無線部１３５および通信制御部１３６を介して電源制御部１３３に送られる。そして、電源制御部１３３は、充電池１１０の充電量に関する情報を受け取ると、その情報に基づいて整流回路１３１および昇圧回路１３２を制御し、第１筐体部１０１から第２筐体部１０２への電力の供給を開始したり停止したりすることができる。
【００３９】
図６は、本発明の第２実施形態に係る無線通信装置の概略構成を示す断面図である。
図６において、充電台２１３には、ＡＣ電源に接続するＡＣプラグ２１５が設けられるとともに、外部に無接点で電力を供給する電力伝送モジュール２１４が設けられている。また、無線通信装置には第１筐体部２０１および第２筐体部２０２が設けられ、第１筐体部２０１と第２筐体部２０２とは、第１筐体部２０１と第２筐体部２０２との間の開き角を変えられるようにヒンジ２０３を介して連結されている。
【００４０】
そして、第１筐体部２０１には、第１筐体部２０１と第２筐体部２０２との間の内部無線通信の制御を司る無線通信モジュール２０６が設けられるとともに、電力伝送モジュール２１４から無接点で電力の供給を受ける電力伝送モジュール２０７が設けられている。また、第１筐体部２０１には、第１筐体部２０１内に電力を供給する充電池２０５が設けられるとともに、電力伝送モジュール２０７にて受け取った電力を第２筐体部２０２側に導く導磁路２０８が設けられている。なお、導磁路２０８としては、例えば、フェライトなどの磁性体を用いることができる。
【００４１】
一方、第２筐体部２０２には、第１筐体部２０１と第２筐体部２０２との間の内部無線通信の制御を司る無線通信モジュール２０９が設けられるとともに、導磁路２０８を介して第１筐体部２０１側から無接点で電力の供給を受ける電力伝送モジュール２０７が設けられている。また、第２筐体部２０２の表面には、液晶表示パネル２１２が設けられている。
【００４２】
ここで、電力伝送モジュール２０７、２１１、２１４には電磁誘導コイルをそれぞれ設け、電磁誘導コイルによる電磁誘導を利用して電力を無接点で伝送することができる。また、導磁路２０８と電力伝送モジュール２１１の電磁誘導コイルとは、第１筐体部２０１と第２筐体部２０２とが互い重なるように折り畳んだ時に対向するように配置することができる。また、電力伝送モジュール２０７、２１４の電磁誘導コイルは、無線通信装置を充電台２１３上に置いた時に対向するように配置することができる。
【００４３】
そして、第１筐体部２０１および第２筐体部２０２の双方に電力を供給する場合、第１筐体部２０１と第２筐体部２０２とを互いに折り畳んだ状態で、第１筐体部２０１を下にして充電台２１３上に置く。そして、ＡＣプラグ２１５を介して電力伝送モジュール２１４に電力が供給されると、電力伝送モジュール２１４を介して電力伝送モジュール２０７に無接点で電力が供給され、充電池２０５に充電されるとともに、導磁路２０８を介して電力伝送モジュール２１１に無接点で電力が供給され、充電池２１０に充電される。
【００４４】
これにより、第１筐体部２０１に無接点で供給された電力を導磁路２０８にて中継させながら第２筐体部２０２に無接点で送ることができる。このため、第１筐体部２０１に無接点で供給された電力の損失を抑制しつつ、第２筐体部２０２に無接点で電力を供給することが可能となるとともに、第１筐体部２０１から第２筐体部２０２に無接点で電力を伝送するための電磁誘導コイルが不要となり、無線通信装置のコスト増を抑制しつつ、無線通信装置の小型薄型化および高信頼性化を図ることが可能となるとともに、無線通信装置の携帯性を損なうことなく、無線通信装置の大画面化および多機能化を図ることができる。
【００４５】
図７は、図６の無線通信装置の概略構成を示すブロック図である。
図７において、充電台２１３には、交流電源２２１から供給された電圧を昇圧する昇圧回路２２２および電磁誘導を起こすコイルＬ２１が設けられている。
また、第１筐体部２０１には、電磁誘導を起こすコイルＬ２２、コイルＬ２２にて発生された電力を第２筐体部２０２側に導く導磁路２０８、コイルＬ２２にて発生された電力を整流する整流回路２３１、整流回路２３１にて整流された電力を充電する充電池２０５、充電池２０５の充電動作を制御する電源制御部２３３、内部無線通信用の電波を受信する内部無線通信用アンテナ２３４、送信信号を無線周波数に変換したり、受信信号をベースバンド信号に変換したりする無線部２３５および内部無線通信の制御を司る通信制御部２３６が設けられている。
【００４６】
また、第２筐体部２０２には、電磁誘導を起こすコイルＬ２４、コイルＬ２４にて発生された電力を整流する整流回路２４１、整流回路２４１にて整流された電力を充電する充電池２１０、充電池２１０の充電動作を制御する電源制御部２４３、表示データを表示する液晶表示パネル２１２、内部無線通信用の電波を受信する内部無線通信用アンテナ２４４、送信データを無線周波数に変換したり、受信データをベースバンド信号に変換したりする無線部２４５および内部無線通信の制御を司る通信制御部２４６が設けられている。
【００４７】
そして、交流電源２２１から供給された電圧は昇圧回路２２２にて昇圧され、コイルＬ２１に供給される。そして、コイルＬ２１に電圧が供給されると、コイルＬ２１、Ｌ２２間での電磁誘導によりコイルＬ２２に電圧が誘起される。そして、コイルＬ２２にて誘起された電圧は整流回路２３１を介して整流され、充電池２０５に充電されるとともに、導磁路２０８を介して磁束が電磁コイルＬ２４に導かれる。そして、コイルＬ２２にて誘起された磁束が電磁コイルＬ２４に導かれると、電磁誘導によりコイルＬ２４に電圧が誘起される。そして、コイルＬ２４にて誘起された電圧は整流回路２４１を介して整流され、充電池２１０に充電される。
【００４８】
図８は、本発明の第３実施形態に係る無線通信装置の概略構成を示す断面図、図９は、図８の無線通信装置の概略構成を示す平面図であるである。
図８および図９において、充電台３１３には、ＡＣ電源に接続するＡＣプラグ３１５が設けられるとともに、外部に無接点で電力を供給する電力伝送モジュール３１４が設けられている。また、無線通信装置には第１筐体部３０１および第２筐体部３０２が設けられ、第１筐体部３０１と第２筐体部３０２とは、第１筐体部３０１と第２筐体部３０２との間の開き角を変えられるようにヒンジ３０３を介して連結されている。
【００４９】
そして、第１筐体部３０１には、第１筐体部３０１と第２筐体部３０２との間の内部無線通信の制御を司る無線通信モジュール３０６が設けられるとともに、電力伝送モジュール３１４から無接点で電力の供給を受ける電力伝送モジュール３０７が設けられている。また、第１筐体部３０１には、第１筐体部３０１内に電力を供給する充電池３０５が設けられるとともに、第２筐体部３０２に無接点で電力の供給する電力伝送モジュール３０８が設けられている。また、第１筐体部３０１の表面には、操作ボタン３１６が設けられている。
【００５０】
一方、第２筐体部３０２には、第１筐体部３０１と第２筐体部３０２との間の内部無線通信の制御を司る無線通信モジュール３０９が設けられるとともに、電力伝送モジュール３１４から無接点で電力の供給を受ける電力伝送モジュール３０７が設けられている。また、第２筐体部３０２の表面には、液晶表示パネル３１２が設けられている。
ここで、電力伝送モジュール３０８、３１１には電磁誘導コイル３０８ａ、３１１ａがそれぞれ設けられ、電磁誘導コイル３０８ａ、３１１ａによる電磁誘導を利用して電力を無接点で伝送することができる。また、電磁誘導コイル３０８ａ、３１１ａは液晶表示パネル３１２の周囲に配置されるとともに、第１筐体部３０１と第２筐体部３０２とが互い重なるように折り畳んだ時に対向するように配置することができる。
【００５１】
そして、第１筐体部３０１および第２筐体部３０２の双方に電力を供給する場合、第１筐体部３０１と第２筐体部３０２とを互いに折り畳んだ状態で、第１筐体部３０１を下にして充電台３１３上に置く。そして、ＡＣプラグ３１５を介して電力伝送モジュール３１４に電力が供給されると、電力伝送モジュール３１４を介して電力伝送モジュール３０７に無接点で電力が供給され、充電池３０５に充電されるとともに、充電池３０５を介して電力伝送モジュール３０８に電力が供給される。そして、電力伝送モジュール３０８に電力が供給されると、電力伝送モジュール３０８を介して電力伝送モジュール３１１に無接点で電力が供給され、充電池３１０に充電される。
【００５２】
これにより、液晶表示パネル３１２と電磁誘導コイル３０８ａとの干渉を抑えつつ、電磁誘導コイル３０８ａの面積を稼ぐことができ、液晶表示パネル３１２の視認性を確保しつつ、第１筐体部３０１から第２筐体部３０２に無接点で効率よく電力供給を行うことができる。
【００５３】
図１０は、本発明の第４実施形態に係る無線通信装置の概略構成を示す断面図である。
図１０において、充電台４１３には、ＡＣ電源に接続するＡＣプラグ４１５が設けられるとともに、ヒンジ４１９を介して突起部４１８が取り付けられている。そして、突起部４１８には、外部に無接点で電力を供給する電力伝送モジュール４１７が設けられている。また、無線通信装置には第１筐体部４０１および第２筐体部４０２が設けられ、第１筐体部４０１と第２筐体部４０２とは、第１筐体部４０１と第２筐体部４０２との間の開き角を変えられるようにヒンジ４０３を介して連結されている。
【００５４】
そして、第１筐体部４０１には、第１筐体部４０１と第２筐体部４０２との間の内部無線通信の制御を司る無線通信モジュール４０６が設けられるとともに、電力伝送モジュール４１７から無接点で電力の供給を受ける電力伝送モジュール４０８が設けられている。また、第１筐体部４０１には、第１筐体部４０１内に電力を供給する充電池４０５が設けられている。
【００５５】
一方、第２筐体部４０２には、第１筐体部４０１と第２筐体部４０２との間の内部無線通信の制御を司る無線通信モジュール４０９が設けられるとともに、電力伝送モジュール４１７から無接点で電力の供給を受ける電力伝送モジュール４１１が設けられている。また、第２筐体部４０２の表面には、液晶表示パネル４１２が設けられている。
ここで、突起部４１８は、第１筐体部４０１と第２筐体部４０２とが互い重なるように折り畳んだ時に第１筐体部４０１と第２筐体部４０２との間に挟み込まれるように構成さている。そして、電力伝送モジュール４０８、４１１、４１７には電磁誘導コイルがそれぞれ設けられ、電磁誘導コイルによる電磁誘導を利用して電力を無接点で伝送することができる。また、電力伝送モジュール４０８、４１１、４１７の電磁誘導コイルは、第１筐体部４０１と第２筐体部４０２との間に突起部４１８を挟み込んだ時に互いに対向するように配置することができる。
【００５６】
そして、第１筐体部４０１および第２筐体部４０２の双方に電力を供給する場合、第１筐体部４０１と第２筐体部４０２との間に突起部４１８が挟み込まれるようにして、充電台４１３上に置く。そして、ＡＣプラグ４１５を介して電力伝送モジュール４１７に電力が供給されると、電力伝送モジュール４１７を介して電力伝送モジュール４０８、４１１に無接点で電力が供給され、充電池４０５、４１０に充電される。
【００５７】
これにより、外部から無接点で電力を供給する電力伝送モジュール４１７を第１筐体部４０１および第２筐体部４０２の電力伝送モジュール４０８、４１７の双方に同時に近接させることができる。このため、第１筐体部４０１と第２筐体部４０２との間で無線でデータをやり取りすることを可能としつつ、第１筐体部４０１と第２筐体部４０２の双方に同時に無接点で充電することが可能となり、第１筐体部４０１と第２筐体部４０２との間でデータや電力を授受するための電線を連結部に通す必要がなくなる。
【００５８】
この結果、第２筐体部４０２に搭載された液晶表示パネル４１２の大画面化および高精細度化に対応して、第１筐体部４０１から第２筐体部４０２に送信される表示データのデータ量が増大した場合においても、ヒンジ４０３の構成を複雑化させることなく、表示データを高速に液晶表示パネル４１２に送信することが可能となるとともに、接触不良を伴うことなく電力を伝送することができる。
【００５９】
図１１は、図１０の無線通信装置の概略構成を示すブロック図である。
図１１において、充電台４１３には、交流電源４２１から供給された電圧を昇圧する昇圧回路４２２および電磁誘導を起こすコイルＬ４４が設けられている。
また、第１筐体部４０１には、電磁誘導を起こすコイルＬ４１、コイルＬ４１にて発生された電力を整流する整流回路４３１、整流回路４３１にて整流された電力を充電する充電池４０５、充電池４０５の充電動作を制御する電源制御部４３３、内部無線通信用の電波を受信する内部無線通信用アンテナ４３４、送信信号を無線周波数に変換したり、受信信号をベースバンド信号に変換したりする無線部４３５および内部無線通信の制御を司る通信制御部４３６が設けられている。
【００６０】
また、第２筐体部４０２には、電磁誘導を起こすコイルＬ４２、コイルＬ４２にて発生された電力を整流する整流回路４４１、整流回路４４１にて整流された電力を充電する充電池４１０、充電池４１０の充電動作を制御する電源制御部４４３、表示データを表示する液晶表示パネル４１２、内部無線通信用の電波を受信する内部無線通信用アンテナ４４４、送信データを無線周波数に変換したり、受信データをベースバンド信号に変換したりする無線部４４５および内部無線通信の制御を司る通信制御部４４６が設けられている。
【００６１】
そして、交流電源４２１から供給された電圧は昇圧回路４２２にて昇圧され、コイルＬ４４に供給される。そして、コイルＬ４４に電圧が供給されると、コイルＬ４１、Ｌ４２、Ｌ４４間での電磁誘導によりコイルＬ４１、Ｌ４２に電圧が誘起される。そして、コイルＬ４１にて誘起された電圧は整流回路４３１を介して整流され、充電池４０５に充電される。また、コイルＬ４２にて誘起された電圧は整流回路４４１を介して整流され、充電池４１０に充電される。
【００６２】
図１２は、本発明の第５実施形態に係る無線通信装置の概略構成を示す断面図である。
図１２において、無線通信装置には第１筐体部５０１および第２筐体部５０２が設けられ、第１筐体部５０１と第２筐体部５０２とは、第１筐体部５０１と第２筐体部５０２との間の開き角を変えられるようにヒンジ５０３を介して連結されている。また、充電台５１３には、ＡＣ電源に接続するＡＣプラグ５１５が設けられるとともに、第１筐体部５０１と第２筐体部５０２とが閉じた状態で、第１筐体部５０１および第２筐体部５０２を周囲から包み込むようにして無線通信装置を保持する充電台５１３が設けられている。そして、充電台５１３の側面の内側には、第１筐体部５０１と第２筐体部５０２に無接点で電力をそれぞれ供給する電力伝送モジュール５１４、５１７が設けられている。
【００６３】
そして、第１筐体部５０１には、第１筐体部５０１と第２筐体部５０２との間の内部無線通信の制御を司る無線通信モジュール５０６が設けられるとともに、電力伝送モジュール５１４から無接点で電力の供給を受ける電力伝送モジュール５０８が設けられている。また、第１筐体部５０１には、第１筐体部５０１内に電力を供給する充電池５０５が設けられている。
【００６４】
一方、第２筐体部５０２には、第１筐体部５０１と第２筐体部５０２との間の内部無線通信の制御を司る無線通信モジュール５０９が設けられるとともに、電力伝送モジュール５１７から無接点で電力の供給を受ける電力伝送モジュール５１１が設けられている。また、第２筐体部５０２の表面には、液晶表示パネル５１２ａ、５１２ｂが設けられている。
【００６５】
ここで、電力伝送モジュール５０８、５１１、５１４、５１７には電磁誘導コイルがそれぞれ設けられ、電磁誘導コイルによる電磁誘導を利用して電力を無接点で伝送することができる。また、電力伝送モジュール５０８、５１４の電磁誘導コイルは、無線通信装置を充電台５１３上に置いた時に対向するように配置することができ、電力伝送モジュール５１１、５１７の電磁誘導コイルは、無線通信装置を充電台５１３上に置いた時に対向するように配置することができる。
【００６６】
そして、第１筐体部５０１および第２筐体部５０２の双方に電力を供給する場合、第１筐体部５０１および第２筐体部５０２を閉じた状態で、第１筐体部５０１および第２筐体部５０２を充電台５１３内に挿入する。そして、ＡＣプラグ５１５を介して電力伝送モジュール５１４、５１７に電力が供給されると、電力伝送モジュール５１４、５１７をそれぞれ介して電力伝送モジュール５０８、５１１に無接点で電力が供給され、充電池５０５、５１０に充電される。
【００６７】
図１３は、図１２の無線通信装置の概略構成を示すブロック図である。
図１３において、充電台５１３には、交流電源５２１から供給された電圧を昇圧する昇圧回路５２２ａ、５２２ｂおよび電磁誘導を起こすコイルＬ５３、Ｌ５４が設けられている。
また、第１筐体部５０１には、電磁誘導を起こすコイルＬ５１、コイルＬ５１にて発生された電力を整流する整流回路５３１、整流回路５３１にて整流された電力を充電する充電池５０５、充電池５０５の充電動作を制御する電源制御部５３３、内部無線通信用の電波を受信する内部無線通信用アンテナ５３４、送信信号を無線周波数に変換したり、受信信号をベースバンド信号に変換したりする無線部５３５および内部無線通信の制御を司る通信制御部５３６が設けられている。
【００６８】
また、第２筐体部５０２には、電磁誘導を起こすコイルＬ５２、コイルＬ５２にて発生された電力を整流する整流回路５４１、整流回路５４１にて整流された電力を充電する充電池５１０、充電池５１０の充電動作を制御する電源制御部５４３、表示データを表示する液晶表示パネル５１２、内部無線通信用の電波を受信する内部無線通信用アンテナ５４４、送信データを無線周波数に変換したり、受信データをベースバンド信号に変換したりする無線部５４５および内部無線通信の制御を司る通信制御部５４６が設けられている。
【００６９】
そして、交流電源５２１から供給された電圧は昇圧回路５２２ａ、５２２ｂにて昇圧され、コイルＬ５３、Ｌ５４にそれぞれ供給される。そして、コイルＬ５３、Ｌ５４に電圧が供給されると、コイルＬ５１、Ｌ５３間およびコイルＬ５２、Ｌ５４間での電磁誘導によりコイルＬ５１、Ｌ５２に電圧が誘起される。そして、コイルＬ５１にて誘起された電圧は整流回路５３１を介して整流され、充電池５０５に充電される。また、コイルＬ５２にて誘起された電圧は整流回路５４１を介して整流され、充電池５１０に充電される。
【００７０】
図１４は、本発明の第６実施形態に係る無線通信装置の概略構成を示す平面図である。
図１４において、無線通信装置には第１筐体部６０１および第２筐体部６０２が設けられ、第１筐体部６０１と第２筐体部６０２とは、第１筐体部６０１と第２筐体部６０２との間の開き角を変えられるようにヒンジ６０３を介して連結されている。そして、ヒンジ６０３には、コイルＬ６３の電磁誘導にて誘起された磁束を導く導磁路６１１が挿入され、導磁路６１１には、導磁路６１１を介して誘起された起電力を第１筐体部６０１側に供給するコイルＬ６１が巻き付けられるとともに、導磁路６１１を介して誘起された起電力を第２筐体部６０２側に供給するコイルＬ６２が巻き付けられている。
【００７１】
また、第１筐体部６０１の表面には、操作ボタン６０４が設けられるとともに、第１筐体部６０１と第２筐体部６０２との間で内部無線通信用の電波を送受信する内部無線通信用アンテナ６０７が設けられている。一方、第２筐体部６０２の表面には、液晶表示パネル６０８が設けられるとともに、第１筐体部６０１と第２筐体部６０２との間で内部無線通信用の電波を送受信する内部無線通信用アンテナ６１０が設けられている。
【００７２】
そして、第１筐体部６０１および第２筐体部６０２の双方に電力を供給する場合、コイルＬ６３に電力を供給し、導磁路６１１を介してコイルＬ６１、Ｌ６２に起電力を誘起させる。そして、コイルＬ６１にて誘起された起電力は第１筐体部６０１側に供給されるとともに、コイルＬ６２にて誘起された起電力は第２筐体部６０２側に供給される。
【００７３】
図１５は、本発明の第７実施形態に係る無線通信装置の概略構成を示す斜視図である。
図１５において、無線通信装置には第１筐体部７０１および第２筐体部７０２が設けられ、第１筐体部７０１と第２筐体部７０２とは、第１筐体部７０１と第２筐体部７０２との間の開き角を変えられるようにヒンジ７０３を介して連結されている。そして、第１筐体部７０１の上端には外部無線通信用アンテナ７０６が取り付けられるとともに、第２筐体部７０２の裏面には表示体７１１および撮像素子７１２が設けられている。また、第１筐体部７０１および第２筐体部７０２の側面には、電磁誘導にて発生された電圧を第１筐体部７０１および第２筐体部７０２内にそれぞれ供給するコイルＬ７１、Ｌ７２が配置されている。
【００７４】
そして、第１筐体部７０１および第２筐体部７０２の双方に電力を供給する場合、充電器７２１、７２２を第１筐体部７０１および第２筐体部７０２の側方にそれぞれ配置する。そして、充電器７２１、７２２を介して電磁誘導にてコイルＬ７１、Ｌ７２に起電力を起こさせることにより、第１筐体部７０１および第２筐体部７０２にそれぞれ電力を供給することができる。
【００７５】
なお、図１５の実施形態では、第１筐体部７０１および第２筐体部７０２の同一方向の側面にコイルＬ７１、Ｌ７２を配置する方法について説明したが、コイルＬ７１、Ｌ７２が配置される側面の方向は異なっていてもよい。ここで、第１筐体部７０１および第２筐体部７０２の同一方向の側面にコイルＬ７１、Ｌ７２を配置することにより、充電台の電力伝送モジュールをまとめて配置することができ、回路構成を簡略化することができる。また、第１筐体部７０１および第２筐体部７０２の底面にコイルＬ７１、Ｌ７２を配置するようにしてもよく、これにより、従来の充電クレードルと同じような構造および取扱が可能となる。また、第１筐体部７０１および第２筐体部７０２の側面および底面の両方にコイルＬ７１、Ｌ７２を配置するようにしてもよい。
【００７６】
図１６は、本発明の第８実施形態に係る無線通信装置の概略構成を示す斜視図である。
図１６において、無線通信装置には第１筐体部８０１および第２筐体部８０２が設けられ、第１筐体部８０１と第２筐体部８０２とは、第１筐体部８０１と第２筐体部８０２との間の開き角を変えられるようにヒンジ８０３を介して連結されている。そして、第１筐体部８０１の上端には外部無線通信用アンテナ８０６が取り付けられるとともに、第２筐体部８０２の裏面には表示体８１１および撮像素子８１２が設けられている。また、第１筐体部８０１および第２筐体部８０２の側面には、電磁誘導にて発生された電圧を第１筐体部８０１および第２筐体部８０２内にそれぞれ供給するコイルＬ８１、Ｌ８２が配置されている。ここで、コイルＬ８１、Ｌ８２は、第１筐体部８０１および第２筐体部８０２の側面にそれぞれ複数に分割して配置することができる。
【００７７】
そして、第１筐体部８０１および第２筐体部８０２の双方に電力を供給する場合、充電器８２１、８２２を第１筐体部８０１および第２筐体部８０２の側方にそれぞれ配置する。そして、充電器８２１、８２２を介して電磁誘導にてコイルＬ８１、Ｌ８２に起電力を起こさせることにより、第１筐体部８０１および第２筐体部８０２にそれぞれ電力を供給することができる。
【００７８】
なお、図１６の実施形態では、第１筐体部８０１および第２筐体部８０２の同一方向の側面にコイルＬ８１、Ｌ８２を配置する方法について説明したが、コイルＬ８１、Ｌ８２が配置される側面の方向は異なっていてもよい。ここで、第１筐体部８０１および第２筐体部８０２の同一方向の側面にコイルＬ８１、Ｌ８２を配置することにより、充電台の電力伝送モジュールをまとめて配置することができ、回路構成を簡略化することができる。また、第１筐体部８０１および第２筐体部８０２の底面にコイルＬ８１、Ｌ８２を配置するようにしてもよく、これにより、従来の充電クレードルと同じような構造および取扱が可能となる。また、第１筐体部８０１および第２筐体部８０２の側面および底面の両方にコイルＬ８１、Ｌ８２を配置するようにしてもよい。
【図面の簡単な説明】
【００７９】
【図１】本発明の無線通信制御方法が適用されるクラムシェル型携帯電話を開いたときの状態を示す斜視図。
【図２】本発明の無線通信制御方法が適用されるクラムシェル型携帯電話を閉じたときの状態を示す斜視図。
【図３】本発明の無線通信制御方法が適用される回転式携帯電話の外観を示す斜視図。
【図４】本発明の第１実施形態に係る無線通信装置の概略構成を示す断面図。
【図５】図４の無線通信装置の概略構成を示すブロック図。
【図６】本発明の第２実施形態に係る無線通信装置の概略構成を示す断面図。
【図７】図６の無線通信装置の概略構成を示すブロック図。
【図８】本発明の第３実施形態に係る無線通信装置の概略構成を示す断面図。
【図９】図８の無線通信装置の概略構成を示す平面図。
【図１０】本発明の第４実施形態に係る無線通信装置の概略構成を示す断面図。
【図１１】図１０の無線通信装置の概略構成を示すブロック図。
【図１２】本発明の第５実施形態に係る無線通信装置の概略構成を示す断面図。
【図１３】図１２の無線通信装置の概略構成を示すブロック図。
【図１４】本発明の第６実施形態に係る無線通信装置の概略構成を示す平面図。
【図１５】本発明の第７実施形態に係る無線通信装置の概略構成を示す斜視図。
【図１６】本発明の第８実施形態に係る無線通信装置の概略構成を示す斜視図。
【符号の説明】
【００８０】
１、２１、１０１、２０１、３０１、４０１、５０１、６０１、７０１、８０１  第１筐体部、２、２２、１０２、２０２、３０２、４０２、５０２、６０２、７０２、８０２  第２筐体部、３、２３、１０３、２０３、３０３、４０３、５０３、６０３、７０３、８０３  ヒンジ、４、２４、３１６、６０４  操作ボタン、５、２５  マイク、６、２６、７０６、８０６  外部無線通信用アンテナ、７、１０、２７、３０、１３４、１４４、４３４、４４４、５３４、５４４、６０７、６１０  内部無線通信用アンテナ、８、１１、２８、６０８、７１１、８１１  表示体、９、２９  スピーカ、１２，７１２、８１２  撮像素子、１０５、１１０、２０５、２１０、３０５、３１０、４０５、４１０、５０５、５１０  充電池、１０６、１０９、２０６、２０９、３０６、３０９、４０６、４０９、５０６、５０９  無線通信モジュール、１０７、１０８、１１１、１１４、２０７、２１１、２１４、３０７、３０８、３１１、３１４，４０８、４１１、４１７、５０８、５１１、５１４、５１７  電力伝送モジュール、１１３、２１３、３１３、４１３、５１３  充電台、１１５、２１５、３１５、４１５、５１５  ＡＣプラグ、１１２、２１２、３１２、４１２、５１２ａ、５１２ｂ  液晶表示パネル、Ｌ１〜Ｌ４、Ｌ２１、Ｌ２２、Ｌ２４、３０８ａ、３１１ａ、Ｌ４１、Ｌ４２、Ｌ４４、Ｌ５１〜Ｌ５４、Ｌ６１〜Ｌ６３、Ｌ７１、Ｌ７２、Ｌ８１、Ｌ８２  コイル、１２１、２２１、４２１、５２１  ＡＣ電源、１２２、１３２、２２２、４２２、５２２ａ、５２２ｂ  昇圧回路、１３１、１４１、２３１、２４１、４３１、４４１、５３１、５４１  整流回路、１３３、１４３、２３３、２４３、４３３、４４３、５３３、５４３  電源制御部、１３５、１４５、２３５、２４５、４３５、４４５、５３５、５４５  無線部、１３６、１４６、２３６、２４６、４３６、４４６、５３６、５４６  通信制御部、２０８、６１１  導磁路、４１８  突起部、７２１、７２２、８２１、８２２  充電器
【図１】
0004742841.tif 000002
【図２】
0004742841.tif 000003
【図３】
0004742841.tif 000004
【図４】
0004742841.tif 000005
【図５】
0004742841.tif 000006
【図６】
0004742841.tif 000007
【図７】
0004742841.tif 000008
【図８】
0004742841.tif 000009
【図９】
0004742841.tif 000010
【図１０】
0004742841.tif 000011
【図１１】
0004742841.tif 000012
【図１２】
0004742841.tif 000013
【図１３】
0004742841.tif 000014
【図１４】
0004742841.tif 000015
【図１５】
0004742841.tif 000016
【図１６】
0004742841.tif 000017